(57)【要約】      （修正有）【課題】カラオケ装置が設置された場所で、広告が表示される場合であっても、カラオケ装置を利用している機会以外で、カラオケ装置の利用時に出力された広告を確認でき、広告効果を高めることができるシステム、広告決定装置、及び、広告出力方法を提供する。【解決手段】広告決定サーバ５は、ログアウトを要求したユーザＩＤのログイン時間とログアウト時間との間に、ディスプレイ５４に出力された広告コンテンツの広告識別情報を、広告閲覧情報として決定する。決定された広告閲覧情報を、広告決定サーバ５は、管理サーバ３へ送信する。管理サーバ３は、広告閲覧情報を例えば、端末ＰＣにインストールされたＷｅｂブラウザを介して、閲覧可能に設定する。【選択図】図５
2013250397.tif 000002
【特許請求の範囲】
【請求項１】
カラオケ装置が設置された部屋に備えられたディスプレイにより表示させる広告コンテンツを識別可能な広告識別情報を含む広告リストを取得する第１取得手段と、
カラオケ装置により提供されるカラオケサービスへログインしたユーザを識別可能なユーザ識別情報と、ログインした時間を示す第１時間情報と、前記ユーザ識別情報を用いて前記カラオケサービスにログインユーザが前記カラオケサービスからログアウトした時間を示す第２時間情報とを取得する第２取得手段と、
前記広告リストの中で、前記第１時間情報が示す時間から、前記第２時間情報が示す時間の間に出力された広告コンテンツの前記広告コンテンツ識別情報を決定する第１決定手段と、
前記第１決定手段により決定された広告識別情報と、前記ユーザ識別情報と、前記第１時間情報と、前記第２時間情報とを対応付けてサーバ装置に送信する送信手段と、
を備える広告決定装置と、
前記送信手段により送信された広告識別情報と、ユーザ識別情報と、前記第１時間情報と、前記第２時間情報とを対応付けて記憶する記憶手段と、
前記サーバへログインを要求した前記ユーザ識別情報と対応付けて記憶された広告識別情報と、前記第１時間情報と、前記第２時間情報とを、ログインを要求した端末装置に閲覧可能にする設定手段と、
を備えるサーバ装置と、
含むシステム。
【請求項２】
前記設定手段は、前記サーバ装置へログインを要求した前記ユーザ識別情報と対応付けて記憶された前記広告識別情報に対応する広告コンテンツを、ログインを要求した端末装置に閲覧可能にすることを特徴とする請求項１に記載のシステム。
【請求項３】
前記サーバ装置は、
前記サーバ装置へログインを要求した前記ユーザ識別情報と対応付けて記憶された広告識別情報に対応する広告コンテンツが、ログインを要求した端末装置に閲覧された閲覧実績を示す実績情報と、前記広告識別情報とを対応付けて、前記記憶手段に記憶させる制御手段を備えることを特徴とする請求項２に記載のシステム。
【請求項４】
前記制御手段は、前記サーバ装置へログインを要求した前記ユーザ識別情報と対応付けて記憶された広告識別情報に対応する広告コンテンツが、ログインを要求した端末装置に閲覧された閲覧実績を示す実績情報と、前記広告識別情報と、前記ログインを要求した前記ユーザ識別情報の属性を示す属性情報とを対応付けて、前記記憶手段に記憶させ、
前記広告決定装置は、
前記記憶手段に記憶された前記実績情報と、前記広告識別情報と、前記属性情報とを取得する第３取得手段と、
前記第３取得手段により取得された前記属性情報に基づいて、ディスプレイにより出力される広告識別情報を決定する第２決定手段と、
を備えることを特徴とする請求項３に記載のシステム。
【請求項５】
カラオケ装置が設置された部屋に備えられたディスプレイにより表示させる広告コンテンツを識別可能な広告識別情報を含む広告リストを取得する第１取得手段と、
カラオケ装置により提供されるカラオケサービスへログインしたユーザを識別可能なユーザ識別情報と、ログインした時間を示す第１時間情報と、前記ユーザ識別情報を用いて前記カラオケサービスにログインユーザが前記カラオケサービスからログアウトした時間を示す第２時間情報とを取得する第２取得手段と、
前記広告リストの中で、前記第１時間情報が示す時間から、前記第２時間情報が示す時間の間に出力された広告コンテンツの前記広告コンテンツ識別情報を決定する第１決定手段と、
前記第１決定手段により決定された広告識別情報と、前記ユーザ識別情報と、前記第１時間情報と、前記第２時間情報とを対応付けて、ログインを要求した端末装置に閲覧可能に設定するサーバ装置に送信する送信手段と、
を備える広告決定装置。
【請求項６】
カラオケ装置が設置された部屋に備えられたディスプレイにより表示させる広告コンテンツを識別可能な広告識別情報を含む広告リストを、広告決定装置が取得する第１取得ステップと、
カラオケ装置により提供されるカラオケサービスへログインしたユーザを識別可能なユーザ識別情報と、ログインした時間を示す第１時間情報と、前記ユーザ識別情報を用いて前記カラオケサービスにログインユーザが前記カラオケサービスからログアウトした時間を示す第２時間情報とを、広告決定装置が取得する第２取得ステップと、
前記広告リストの中で、前記第１時間情報が示す時間から、前記第２時間情報が示す時間の間に出力された広告コンテンツの前記広告コンテンツ識別情報を、広告決定装置が決定する第１決定ステップと、
前記第１決定ステップにより決定された広告識別情報と、前記ユーザ識別情報と、前記第１時間情報と、前記第２時間情報とを対応付けて、広告決定装置がサーバ装置に送信する送信ステップと、
前記送信ステップにより送信された広告識別情報と、ユーザ識別情報と、前記第１時間情報と、前記第２時間情報とを対応付けて、サーバ装置の記憶手段に記憶する記憶ステップと、
前記サーバへログインを要求した前記ユーザ識別情報と対応付けて記憶された広告識別情報と、前記第１時間情報と、前記第２時間情報とを、ログインを要求した端末装置に閲覧可能に、前記サーバ装置が設定する設定ステップと、
を含む広告出力方法。
【発明の詳細な説明】
【技術分野】
【０００１】
本発明は、システムに関する。具体的には、カラオケ装置を用いたシステムにより広告を配信する技術に関する。
【背景技術】
【０００２】
従来、カラオケ装置を利用して、広告を表示させるシステムがある。特許文献１には、カラオケ装置に予約された楽曲が再生される曲間に、広告が出力される技術が開示されている。また、特許文献２には、カラオケ装置のコンテンツを表示させるメインディスプレイとは別に、サブディスプレイを設置し、サブディスプレイにより広告が出力される技術が開示されている。
【先行技術文献】
【特許文献】
【０００３】
【特許文献１】特開平８−３４１７４４号公報
【特許文献２】特開２００６−１７８２４７号公報
【発明の開示】
【発明が解決しようとする課題】
【０００４】
特許文献１及び特許文献２に記載の広告配信方法では、ユーザが広告見ている、または、ユーザが広告を見ていないに関わらず、広告が出力される。一般的に、カラオケ装置が設置された場所では、ユーザは、歌唱する楽曲を検索する、または、歌唱するというように、カラオケを行うための動作を行っている場合がある。このため、例え、出力されている広告にユーザが興味を持ったとしても、次々と広告が出力されるため、広告の内容を覚えきれず、広告配信者側は、広告効果を高めることができなかった。
【０００５】
本発明は、上述した問題点を解決するためになされたものである。本発明は、カラオケ装置が設置された場所で、広告が表示される場合であっても、カラオケ装置を利用している機会以外で、カラオケ装置の利用時に出力された広告を確認でき、広告効果を高めることができるシステム、広告決定装置、及び、広告出力方法を提供することを目的とする。
【課題を解決するための手段】
【０００６】
請求項１に記載の発明によれば、カラオケ装置が設置された部屋に備えられたディスプレイにより表示させる広告コンテンツを識別可能な広告識別情報を含む広告リストを取得する第１取得手段と、カラオケ装置により提供されるカラオケサービスへログインしたユーザを識別可能なユーザ識別情報と、ログインした時間を示す第１時間情報と、前記ユーザ識別情報を用いて前記カラオケサービスにログインユーザが前記カラオケサービスからログアウトした時間を示す第２時間情報とを取得する第２取得手段と、前記広告リストの中で、前記第１時間情報が示す時間から、前記第２時間情報が示す時間の間に出力された広告コンテンツの前記広告コンテンツ識別情報を決定する第１決定手段と、前記第１決定手段により決定された広告識別情報と、前記ユーザ識別情報と、前記第１時間情報と、前記第２時間情報とを対応付けてサーバ装置に送信する送信手段と、を備える広告決定装置と、前記送信手段により送信された広告識別情報と、ユーザ識別情報と、前記第１時間情報と、前記第２時間情報とを対応付けて記憶する記憶手段と、前記サーバへログインを要求した前記ユーザ識別情報と対応付けて記憶された広告識別情報と、前記第１時間情報と、前記第２時間情報とを、ログインを要求した端末装置に閲覧可能にする設定手段と、を備えるサーバ装置と、含むシステムである。
【０００７】
請求項２に記載の発明によれば、前記設定手段は、前記サーバ装置へログインを要求した前記ユーザ識別情報と対応付けて記憶された前記広告識別情報に対応する広告コンテンツを、ログインを要求した端末装置に閲覧可能にすることを特徴とする。
【０００８】
請求項３に記載の発明によれば、前記サーバ装置は、前記サーバ装置へログインを要求した前記ユーザ識別情報と対応付けて記憶された広告識別情報に対応する広告コンテンツが、ログインを要求した端末装置に閲覧された閲覧実績を示す実績情報を、前記広告識別情報と対応付けて、前記記憶手段に記憶させる制御手段を備えることを特徴とする。
【０００９】
請求項４に記載の発明によれば、前記制御手段は、前記サーバ装置へログインを要求した前記ユーザ識別情報と対応付けて記憶された広告識別情報に対応する広告コンテンツが、ログインを要求した端末装置に閲覧された閲覧実績を示す実績情報と、前記広告識別情報と、前記ログインを要求した前記ユーザ識別情報の属性を示す属性情報とを対応付けて、前記記憶手段に記憶させ、前記広告決定装置は、前記記憶手段に記憶された前記実績情報と、前記広告識別情報と、前記属性情報とを取得する第３取得手段と、前記第３取得手段により取得された前記属性情報に基づいて、ディスプレイにより出力される広告識別情報を決定する第２決定手段と、を備えることを特徴とする。
【００１０】
請求項５に記載の発明によれば、カラオケ装置が設置された部屋に備えられたディスプレイにより表示させる広告コンテンツを識別可能な広告識別情報を含む広告リストを取得する第１取得手段と、カラオケ装置により提供されるカラオケサービスへログインしたユーザを識別可能なユーザ識別情報と、ログインした時間を示す第１時間情報と、前記ユーザ識別情報を用いて前記カラオケサービスにログインユーザが前記カラオケサービスからログアウトした時間を示す第２時間情報とを取得する第２取得手段と、前記広告リストの中で、前記第１時間情報が示す時間から、前記第２時間情報が示す時間の間に出力された広告コンテンツの前記広告コンテンツ識別情報を決定する第１決定手段と、前記第１決定手段により決定された広告識別情報と、前記ユーザ識別情報と、前記第１時間情報と、前記第２時間情報とを対応付けて、ログインを要求した端末装置に閲覧可能に設定するサーバ装置に送信する送信手段と、を備える広告決定装置である。
【００１１】
請求項６に記載の発明によれば、カラオケ装置が設置された部屋に備えられたディスプレイにより表示させる広告コンテンツを識別可能な広告識別情報を含む広告リストを、広告決定装置が取得する第１取得ステップと、カラオケ装置により提供されるカラオケサービスへログインしたユーザを識別可能なユーザ識別情報と、ログインした時間を示す第１時間情報と、前記ユーザ識別情報を用いて前記カラオケサービスにログインユーザが前記カラオケサービスからログアウトした時間を示す第２時間情報とを、広告決定装置が取得する第２取得ステップと、前記広告リストの中で、前記第１時間情報が示す時間から、前記第２時間情報が示す時間の間に出力された広告コンテンツの前記広告コンテンツ識別情報を、広告決定装置が決定する第１決定ステップと、前記第１決定ステップにより決定された広告識別情報と、前記ユーザ識別情報と、前記第１時間情報と、前記第２時間情報とを対応付けて、広告決定装置がサーバ装置に送信する送信ステップと、前記送信ステップにより送信された広告識別情報と、ユーザ識別情報と、前記第１時間情報と、前記第２時間情報とを対応付けて、サーバ装置の記憶手段に記憶する記憶ステップと、前記サーバへログインを要求した前記ユーザ識別情報と対応付けて記憶された広告識別情報と、前記第１時間情報と、前記第２時間情報とを、ログインを要求した端末装置に閲覧可能に、前記サーバ装置が設定する設定ステップと、を含む広告出力方法である。
【発明の効果】
【００１２】
請求項１に記載の発明によれば、広告決定装置の第１決定手段は、広告リストの中で、第１時間情報が示す時間から、第２時間情報が示す時間の間に出力された広告コンテンツの広告コンテンツ識別情報を決定する。広告決定装置の送信手段は、第１決定手段により決定された広告識別情報と、ユーザ識別情報と、第１時間情報と、第２時間情報とを対応付けてサーバ装置に送信する。サーバ装置は、送信手段により送信された広告識別情報と、ユーザ識別情報と、第１時間情報と、第２時間情報とを対応付けて記憶する記憶手段を備える。サーバ装置の設定手段は、サーバへログインを要求したユーザ識別情報と対応付けて記憶された広告識別情報と、第１時間情報と、第２時間情報とを、ログインを要求した端末装置に閲覧可能にする。この結果、カラオケ装置により広告が表示される場合であっても、カラオケ装置を利用している機会以外で、カラオケ装置の利用時に出力された広告を確認でき、広告効果を高めることができる。
【００１３】
請求項２に記載の発明によれば、設定手段は、サーバ装置へログインを要求したユーザ識別情報と対応付けて記憶された広告識別情報に対応する広告コンテンツを、ログインを要求した端末装置に閲覧可能にする。この結果、カラオケ装置により広告が表示される場合であっても、カラオケ装置を利用している機会以外で、カラオケ装置の利用時に出力された広告自体を閲覧して確認でき、広告効果を高めることができる。
【００１４】
請求項３に記載の発明によれば、サーバ装置は、サーバ装置へログインを要求したユーザ識別情報と対応付けて記憶された広告識別情報に対応する広告コンテンツが、ログインを要求した端末装置に閲覧された閲覧実績を示す実績情報を、広告識別情報と対応付けて、記憶手段に記憶させる制御手段を備える。この結果、カラオケ装置の利用時に出力された広告自体を閲覧して確認でき、広告効果を高めることができると共に、実際の視聴実績を把握することができる。
【００１５】
請求項４に記載の発明によれば、制御手段は、サーバ装置へログインを要求したユーザ識別情報と対応付けて記憶された広告識別情報に対応する広告コンテンツが、ログインを要求した端末装置に閲覧された閲覧実績を示す実績情報と、広告識別情報と、ログインを要求したユーザ識別情報の属性を示す属性情報とを対応付けて、記憶手段に記憶させる。広告決定装置は、記憶手段に記憶された実績情報と、広告識別情報と、属性情報とを取得する第３取得手段を備える。また、広告決定装置は、第３取得手段により取得された属性情報に基づいて、ディスプレイにより出力される広告識別情報を決定する第２決定手段を備える。この結果、カラオケ装置の利用時に出力された広告を実際に視聴したユーザの属性情報に基づいて、カラオケ装置により出力させる広告を決定することができるため、広告効果を高めることができる。
【００１６】
請求項５に記載の発明によれば、第１決定手段は、広告リストの中で、第１時間情報が示す時間から、第２時間情報が示す時間の間に出力された広告コンテンツの広告コンテンツ識別情報を決定する。送信手段は、第１決定手段により決定された広告識別情報と、ユーザ識別情報と、第１時間情報と、第２時間情報とを対応付けて、ログインを要求した端末装置に閲覧可能に設定するサーバ装置に送信する。この結果、カラオケ装置により広告が表示される場合であっても、カラオケ装置を利用している機会以外で、カラオケ装置の利用時に出力された広告を確認でき、広告効果を高めることができる。
【００１７】
請求項６に記載の発明によれば、広告決定装置の第１決定ステップは、広告リストの中で、第１時間情報が示す時間から、第２時間情報が示す時間の間に出力された広告コンテンツの広告コンテンツ識別情報を決定する。広告決定装置の送信ステップは、第１決定手段により決定された広告識別情報と、ユーザ識別情報と、第１時間情報と、第２時間情報とを対応付けてサーバ装置に送信する。サーバ装置の記憶ステップは、送信手段により送信された広告識別情報と、ユーザ識別情報と、第１時間情報と、第２時間情報とを対応付けて記憶手段に記憶する。サーバ装置の設定ステップは、サーバへログインを要求したユーザ識別情報と対応付けて記憶された広告識別情報と、第１時間情報と、第２時間情報とを、ログインを要求した端末装置に閲覧可能にする。この結果、カラオケ装置により広告が表示される場合であっても、カラオケ装置を利用している機会以外で、カラオケ装置の利用時に出力された広告を確認でき、広告効果を高めることができる。
【図面の簡単な説明】
【００１８】
【図１】第１の実施形態のカラオケシステムＳの概要図である。
【図２】第１の実施形態のカラオケシステムＳのリモコン１、コマンダ２、管理サーバ３，センターサーバ４、及び、広告決定サーバ５の電気的構成の概念図である。
【図３】第１の実施形態の広告閲覧情報が、広告閲覧情報記憶領域３３２に記憶される記憶状態を示す概念図である。
【図４】第１実施形態の再生順序リストが、再生順序リスト記憶領域５３２に記憶される記憶状態を示す概念図である。
【図５】第１の実施形態の広告閲覧情報が決定される概要を示す概要図である。
【図６】第１の実施形態の広告決定サーバ５のメイン動作を示すフローチャートである。
【図７】第１の実施形態の管理サーバ３のメイン動作を示すフローチャートである。
【図８】第１の実施形態のセンターサーバ４のメイン動作を示すフローチャートである。
【発明を実施するための最良の形態】
【００１９】
［第１の実施形態］
以下、図面に沿って、本発明を適用した第１の実施形態について説明する。
【００２０】
［１．カラオケシステムの構成及び動作の概要］
始めに、図１を参照して、本実施形態のカラオケシステムの構成の概要について説明する。図１は、本実施形態のカラオケシステムＳの構成を表す図である。なお、図１は、カラオケ店舗ＫＳの中に設置された複数のカラオケルームの中で、カラオケルームＫＲの１室を例に示す。図１の例では、カラオケルームＫＲに、リモコン１と、コマンダ２と、広告決定サーバ５と、ディスプレイ５４とが夫々１台ずつ設置されている。なお、カラオケルームＫＲに、リモコン１は複数台設置されても良い。一般的にカラオケ店舗ＫＳには、複数のカラオケルームＫＲが設定されている。なお、本実施形態のコマンダ２は、本発明のカラオケ装置の一例である。
【００２１】
図１に示すように、カラオケシステムＳは、リモコン１と、コマンダ２と、管理サーバ３と、センターサーバ４と、広告決定サーバ５とを含んで構成される。リモコン１は、カラオケ曲の選曲または検索に用いられる選曲装置である。リモコン１は、カラオケ店舗ＫＳに備えられたアクセスポイントＡＰ及びブロードバンドルータＢＲを介して、無線通信によりネットワークに接続される。これにより、リモコン１は、ネットワークを介してコマンダ２または管理サーバ３または広告決定サーバ５と通信が可能になる。
【００２２】
また、広告決定サーバ５は、ブロードバンドルータＢＲを介して管理サーバ３またはセンターサーバ４と通信が可能になる。リモコン１は、赤外線によりコマンダ２へ、カラオケ曲の予約を依頼する。リモコン１には、リモコンＩＤが付与されている。リモコンＩＤは、リモコン１を識別するための識別情報である。リモコンＩＤは、リモコン１を一意に特定できる情報であれば、どのような情報であってもよいが、例えばリモコン１に割り当てられたＩＰアドレスがリモコンＩＤとされても良い。
【００２３】
コマンダ２は、リモコン１により依頼された予約に基づいて、カラオケ曲の再生処理を行う。コマンダには、夫々コマンダＩＤが付与される。コマンダＩＤは、コマンダを夫々識別するための情報である。コマンダＩＤは、コマンダ２を一意に特定できる情報であれば、どのような情報であってもよいが、例えばコマンダ２に割り当てられたＩＰアドレスがコマンダＩＤとされる。
【００２４】
本実施形態では、リモコン１の代わりに、ユーザが個人で所有する携帯端末装置から、カラオケ曲の予約を、コマンダへ依頼することが可能である。ユーザが夫々所有する携帯端末装置を用いて、コマンダ２へカラオケ曲の予約を依頼することができる。この場合、携帯端末装置は、携帯基地局Ｃを介してネットワークへ接続可能になっている。
【００２５】
管理サーバ３は、カラオケシステムＳまたはコマンダ２により提供されるサービスにログインするためのログイン情報を管理する。管理サーバ３は、リモコン１またはコマンダまたは後述する端末ＰＣにより要求されたログイン処理を受け付ける。ログイン処理には、ユーザＩＤとパスワードとが用いられる。管理サーバ３は、ログイン処理に用いられたユーザＩＤとパスワードとが管理サーバ３に登録されているか否かを判定し、ログインの許可、不許可を決定する。
【００２６】
センターサーバ４は、広告決定サーバ５に送信する広告コンテンツを記憶する。また、広告決定サーバは、ディスプレイ５４により出力する広告コンテンツを決定する。広告決定サーバ５には、ディスプレイ５４が接続される。決定された広告が、センターサーバ４から取得されてディスプレイ５４に出力される。
【００２７】
端末ＰＣは、カラオケシステムＳまたはコマンダ２により提供されるサービスにログインし、例えば、管理サーバ３またはセンターサーバ４により提供される情報を閲覧する。なお、端末ＰＣは、ネットワークを介して通信可能な装置であれ良い。例えば、端末ＰＣは、一般的なパーソナルコンピュータ、または、携帯電話、または、タブレットＰＣであっても良い。
【００２８】
[２．カラオケシステムＳの電気的構成]
図２は、カラオケシステムＳの電気的構成を示すブロック図である。以下、図２を用いて、リモコン１、コマンダ２、管理サーバ３、センターサーバ４、広告決定サーバ５の電気的構成を順に説明する。
【００２９】
（リモコン１の構成）
リモコン１は、制御部１１と、赤外線送信部１２と、メモリ１３と、ディスプレイ１４と、操作部１５と、操作処理部１６と、ビデオＲＡＭ１７と、映像制御部１８と、無線ＬＡＮ通信部１９とを備える。制御部１１は、リモコン１の動作を制御する。赤外線送信部１２は、後述するコマンダ２の赤外線受信部２５と通信することにより、リモコン１からの指示を、コマンダ２へ送信する。メモリ１３は、ログイン情報記憶領域１３１を備える。ログイン情報記憶領域１３１は、ユーザがリモコン１を用いてカラオケシステムＳへログインしたログイン情報を記憶する。具体的には、カラオケシステムＳにおけるユーザのユーザ識別情報と、ユーザ識別情報に紐付けられているユーザ属性情報と、ログインした日時及び時間を示すログイン時間などが、ログイン情報としてログイン情報記憶領域１３１に記憶される。
【００３０】
ディスプレイ１４には、ユーザがログインおよびカラオケ曲の予約をするために、ログイン画面および楽曲選択画面などが表示される。操作部１５は、ディスプレイ１４に表示される情報に従って、ユーザがコマンダ２へログイン情報およびカラオケ曲の情報を送信するとき、ユーザにより操作される。操作部１５により操作された情報は、操作制御部１６により制御部１１に送信される。ビデオＲＡＭ１７は、ディスプレイ１４に表示させる情報を記憶する。映像制御部１８は、制御部１１による制御に従って、ディスプレイ１４に表示させる情報を送信する。無線ＬＡＮ通信部１９は、制御部１１による制御に従って、メモリ１３に記憶されている情報を、アクセスポイントＡＰへ送信し、アクセスポイントＡＰから情報を受信する。
【００３１】
（コマンダ２の構成）
コマンダ２は、制御部２１と、ＬＡＮインタフェース部２２と、記憶部２３と、操作部２４と、赤外線受信部２５と、操作処理部２６と、シンセサイザ２７と、マイク制御部２８と、スピーカ２９と、ミキシングアンプ３０と、ビデオＲＡＭ３１と、映像再生部３２と、映像制御部３３と、映像受信部３４と、ディスプレイ３５、カメラ３６とを備える。制御部２１は、コマンダ２の動作を制御する。制御部２１は、例えば、予約リストに従って予約されたカラオケ曲を再生させる指示を行う。ＬＡＮインタフェース部２２は、ネットワークに接続し、制御部２１からの情報を、ネットワークに接続される他の端末であるリモコン１と、管理サーバ３と、センターサーバ４と、広告決定サーバ５とに送信する。また、ＬＡＮインタフェース部２２は、ネットワークに接続される他の端末からの情報を受信する。
【００３２】
記憶部２３は、ログイン情報記憶領域２３１を備える。ログイン情報記憶領域２３１は、リモコン１を用いてログインしたユーザのログイン情報が記憶される。
【００３３】
操作部２４により、ユーザは、リモコン１と同様に、カラオケ曲を予約することができる。赤外線受信部２５は、リモコン１の赤外線送信部１２から、情報を受信する。操作処理部２６は、操作部２４および赤外線受信部２５からの情報を、操作指示として、制御部２１に送信する。シンセサイザ２７は、制御部２１による制御に従って、カラオケ曲の音を発生させる指示をミキシングアンプ３０へ行う。マイク制御部２８は、図示外のマイクを用いてユーザにより入力される音を発生させる指示をミキシングアンプ３０へ行う。スピーカ２９およびミキシングアンプ３０は、シンセサイザ２７およびマイク制御部２８から受信する指示に従って、音を発生させる。ビデオＲＡＭ３１と、映像再生部３２と、映像制御部３３と、映像受信部３４とにより、制御部２１による制御に従って、ディスプレイ３５に映像を表示させる。また、映像制御部３３は、制御部２１による制御に従って、カメラ３６が取得した映像を、ディスプレイ３５に表示させる。
【００３４】
（管理サーバ３の構成）
管理サーバ３は、ＬＡＮインタフェース部３１と、制御部３２と、記憶部３３とを備える。ＬＡＮインタフェース部３１は、ネットワークに接続し、ブロードバンドルータＢＲを介して他の端末であるリモコン１と、コマンダ２と、センターサーバ４と、広告決定サーバ５とに接続される。制御部３２は、管理サーバ３の動作を制御する。記憶部３３は、ログイン情報記憶領域３３１と、広告閲覧情報記憶領域３３２とを備える。ログイン情報記憶領域３３１は、リモコン１を用いてログインしたユーザのログイン情報が記憶される。
【００３５】
広告閲覧情報記憶領域３３２は、広告閲覧情報を記憶する。以下、図３を参照して、本実施形態の広告閲覧情報の詳細を説明する。図３は、第１の実施形態の広告閲覧情報が、広告閲覧情報記憶領域３３２に記憶される記憶状態を示す概念図である。図３に示すように、各ユーザＩＤについて、ユーザ属性情報と、ログイン時間と、ログアウト時間と、広告識別情報と、広告コンテンツＵＲＬ（Ｕｎｉｆｏｒｍ Ｒｅｓｏｕｒｃｅ  Ｌｏｃａｔｏｒ）とが対応付けられて、広告閲覧情報として広告閲覧情報記憶領域３３２に記憶される。管理サーバに登録される各ユーザＩＤごとに、ログイン時間と、ログアウト時間と、広告識別情報と、広告コンテンツＵＲＬとが対応付けられて、広告閲覧情報として広告閲覧情報記憶領域３３２に記憶される。図３の例は、ユーザＩＤ「ａａａａａａ」について、広告閲覧情報が、広告閲覧情報記憶領域３３２に記憶される例である。
【００３６】
ユーザＩＤは、カラオケシステムＳまたはコマンダ２により提供されるサービスを利用するユーザを識別可能な情報である。また、ユーザ属性情報は、ユーザの属性を示す情報である。例えば、ユーザの属性は、性別、または、年齢、または、好きなアーティスト、または、居住地域、または、歌唱履歴等を示す。
【００３７】
ログイン時間は、ユーザＩＤが、リモコン１またはコマンダ２にログインした時間を示す。本実施形態では、端末ＰＣを用いてログインしたログイン時間ではなく、カラオケルームＫＤに設置されたリモコン１またはコマンダ２を用いて、カラオケシステムＳまたはコマンダ２により提供されるサービスへログインした時間である。例えば、ログイン時間は、「２０１２／４／１２  １３：００：０５」に示すように、ログインした日時を示す情報である。カラオケシステムＳまたはコマンダ２により提供されるサービスへログインするたびに、ログイン時間が決定されて、図３のように登録される。
【００３８】
ログアウト時間は、ユーザＩＤが示すユーザが、リモコン１またはコマンダ２からログアウトした時間を示す。本実施形態では、端末ＰＣを用いてログインしたログアウト時間ではなく、カラオケルームＫＤに設置されたリモコン１またはコマンダ２を用いて、カラオケシステムＳまたはコマンダ２により提供されるサービスからログアウトした時間である。例えば、ログアウト時間は、「２０１２／４／１２  １５：３５：４７」に示すように、ログアウトした日時を示す情報である。カラオケシステムＳまたはコマンダ２により提供されるサービスからログアウトするたびに、ログアウト時間が決定されて、図３のように登録される。
【００３９】
広告識別情報は、センターサーバ４により配信される広告コンテンツを識別可能な情報である。図３に示す広告識別情報は、ログイン時間から、ログアウト時間の間に、コマンダ２が設置された部屋に設定された広告決定サーバが、ディスプレイ５４に出力した広告コンテンツの広告識別情報である。なお、図３に示す広告識別情報を決定する方法の詳細は、後述する。
【００４０】
広告コンテンツＵＲＬは、ネットワーク上の広告コンテンツの所在を示す情報である。例えば、広告コンテンツＵＲＬは、センターサーバ４に記憶される広告コンテンツの保存場所を示す。図３に示す広告コンテンツＵＲＬが、端末ＰＣのユーザにより指示されることで、端末ＰＣは、センターサーバ４から広告コンテンツを取得して、視聴することができる。
【００４１】
（センターサーバ４の構成）
センターサーバ４は、ＬＡＮインタフェース部４１と、制御部４２と、記憶部４３とを備える。ＬＡＮインタフェース部４１は、ネットワークに接続し、ブロードバンドルータＢＲを介して他の端末であるリモコン１と、コマンダ２と、管理サーバ３と、広告決定サーバ５とに接続される。制御部４２は、センターサーバ４の動作を制御する。記憶部４３は、広告コンテンツ記憶領域４３１を備える。
【００４２】
広告コンテンツ記憶領域４３１は、カラオケシステムＳを利用してディスプレイ５４に表示させる多数の広告コンテンツと、広告コンテンツの属性を示す広告属性情報と、広告識別情報とを対応付けて記憶する。広告属性情報として、年齢層、性別、及び、グループ属性とが、広告コンテンツ記憶領域４３１に記憶される。
【００４３】
また、センターサーバ４は、カラオケ店舗ＫＳに設置されたコマンダ２とリモコン１とのくくり付け情報を、記憶部４３の所定の記憶領域に記憶しても良い。また、センターサーバ４は、カラオケ店舗ＫＳに設置されたコマンダと携帯端末装置とのくくり付け情報を記憶しても良い。くくり付け情報は、コマンダ２と通信可能なリモコンまたは携帯端末との対応関係を示す情報である。センターサーバ４は、くくり付け情報に基づいて、リモコン１から送信された予約依頼を、リモコン１とくくり付けられたコマンダ２へ送信する。また、センターサーバ４は、くくり付け情報に基づいて、携帯端末装置から送信された予約依頼を、携帯端末装置とくくり付けられたコマンダ２へ送信しても良い。なお、センターサーバ４は、コマンダと、そのコマンダが設置されているカラオケルームの広告決定サーバとの対応付けに関する情報を、記憶部４３の所定の記憶領域に記憶している。
【００４４】
（広告決定サーバ５の構成）
広告決定サーバ５は、ＬＡＮインタフェース部５１と、制御部５２と、記憶部５３と、ビデオＲＡＭ５７と、映像制御部５８とを備える。ＬＡＮインタフェース部５１は、ネットワークに接続するためのインタフェースである。制御部５２は、広告決定サーバ５の動作を制御する。
【００４５】
記憶部５３は、広告コンテンツ記憶領域５３１と、再生順序リスト記憶領域５３２と、ログイン情報記憶領域５３３とを備える。広告コンテンツ記憶領域５３１は、カラオケシステムＳを利用してディスプレイ５４に表示させる１以上の広告コンテンツと、広告コンテンツの属性を示す広告属性情報と、広告識別情報とを対応付けて記憶する。広告コンテンツ記憶領域５３１に記憶される広告コンテンツと、広告属性情報と、広告識別情報とは、センターサーバ４から取得される。
【００４６】
再生順序リスト記憶領域５３２は、広告コンテンツが再生される順序を示す広告コンテンツの再生順序リストが記憶される。図４は、再生順序リストが、再生順序リスト記憶領域５３２に記憶される記憶状態を示す概念図である。具体的には、図４に示すように、再生順序リストは、再生される広告コンテンツの広告識別情報と、広告コンテンツが再生される再生順序とを対応付けて記憶する。さらに、再生順序リストは、再生順序リストが含む広告識別情報の広告コンテンツが、ディスプレイ５４に出力された日時を示す再生日時も、図４に示すように、再生順序及び広告識別情報と対応付けて記憶する。ビデオＲＡＭ５７と、映像制御部５８とにより、制御部５２による制御に従って、ディスプレイ５４に映像を表示させる。ビデオＲＡＭ５７は、ディスプレイ５４に表示させる映像を一時記憶する。映像制御部５８は、ディスプレイ５４に、広告コンテンツに従った映像を表示させる。なお、再生順序リストは、広告決定サーバ５により生成されても良い。また、再生順序リストは、管理サーバ３またはセンターサーバ４から送信されて、広告決定サーバ５により受信されても良い。
【００４７】
また、ログイン情報記憶領域５３３は、広告決定サーバ５が設置されたカラオケルームＫＲに設置されたリモコン１またはコマンダ２にログインしたユーザを示すログイン情報を記憶する。
【００４８】
［３．広告閲覧情報の決定方法］
以下、図５を参照して、第１の実施形態の広告閲覧情報の決定方法について説明する。
【００４９】
まず、図５の例では、リモコン１が、管理サーバ３へ、カラオケシステムＳまたはコマンダ２により提供されるサービスへのログインを要求する（図５：（１））。第１の実施形態では、リモコン１が、管理サーバ３へログインを要求しているが、コマンダ２とくくり付けられた携帯端末装置が、管理サーバ３へログインを要求しても良い。また、リモコン１の代わりに、コマンダ２が管理サーバ３へログインを要求しても良い。
【００５０】
次に、管理サーバ３は、ログイン要求があったリモコン１または携帯端末装置とくくり付けられたコマンダ２を決定する。そして、管理サーバ３は、決定されたコマンダ２と同じカラオケルームＫＲに設置された広告決定サーバ５を決定する。管理サーバ３は、決定された広告決定サーバ５へ、ログインしたユーザを示すログイン情報を送信する（図５：（２））。一方、コマンダ２からログイン要求があった場合、管理サーバ３は、ログインを要求したコマンダ２と同じカラオケルームＫＲに設置された広告決定サーバ５を決定する。管理サーバ３は、決定された広告決定サーバ５へ、ログインしたユーザＩＤと、ログイン時間とを含むログイン情報を送信する（図５：（２））。そして、広告決定サーバ５は、受信したユーザＩＤとログイン時間とを対応付けて、ログイン情報記憶領域５３３に記憶する。
【００５１】
その後、管理サーバ３は、リモコン１または携帯端末装置からログアウトの要求を受信した場合、ログアウトが要求されたリモコン１または携帯端末装置とくくり付けられたコマンダ２を決定する。管理サーバ３は、決定されたコマンダ２と同じカラオケルームＫＲに設置された広告決定サーバ５へ、ログアウトしたユーザを示すユーザＩＤと、ログアウト時間とを送信する（図５：（２））。一方、コマンダ２からログアウト要求があった場合、管理サーバ３は、ログアウトを要求したコマンダ２と同じカラオケルームＫＲに設置された広告決定サーバ５を決定する。管理サーバ３は、決定されたコマンダ２と同じカラオケルームＫＲに設置された広告決定サーバ５へ、ログアウトしたユーザを示すユーザＩＤとログアウト時間とを送信する（図５：（２））。そして、広告決定サーバ５は、受信したユーザＩＤとログアウト時間とを対応付けて、ログイン情報記憶領域５３３に記憶する。
【００５２】
広告決定サーバ５は、ログアウトを要求したユーザＩＤのログイン時間とログアウト時間との間に、ディスプレイ５４に出力された広告コンテンツの広告識別情報を決定する。具体的には、まず、図５の（１）及び（２）の処理により、広告決定サーバ５は、ログイン時間とログアウト時間を決定することができる。次に、図４に示す再生順序リストに基づいて、決定されたログイン時間とログアウト時間との間に、出力された広告識別情報を、広告決定サーバ５は決定する。例えば、ログイン時間が図３に示す「２０１２／４／１２  １３：００：０５」であり、ログアウト時間が図３に示す「２０１２／４／１２  １５：３５：４７」である場合を例に上げて説明する。この場合、図４に示す再生順序「２」から再生順序「２４」の再生日時が、ログイン時間「２０１２／４／１２  １３：００：０５」と、ログアウト時間「２０１２／４／１２  １５：３５：４７」との間に存在する。このため、再生順序「２」から再生順序「２４」に対応する広告識別情報が、ログアウトを要求したユーザＩＤのログイン時間とログアウト時間との間に、ディスプレイ５４に出力された広告コンテンツを示すことになる。従って、再生順序「２」から再生順序「２４」に対応する広告識別情報が、決定される。決定された広告識別情報と、ログアウトを要求したユーザＩＤと、ログアウトを要求したユーザＩＤのログイン時間及びログアウト時間とを対応付けて、広告決定サーバ５は、管理サーバ５へ送信する（図５：（３））。
【００５３】
管理サーバ３は、広告決定サーバ５から受信した広告識別情報と、ログアウトを要求したユーザＩＤと、ログアウトを要求したユーザＩＤのログイン時間及びログアウト時間とを対応付けて、広告閲覧情報として、広告閲覧情報記憶領域３３２に記憶する。
【００５４】
そして、端末ＰＣが、ユーザＩＤを用いて、カラオケシステムＳまたはコマンダ２により提供されるサービスにログインした場合、管理サーバ３は、ログインしたユーザＩＤに対応する広告閲覧情報を、広告閲覧情報記憶領域３３２から読み出す。読み出された広告閲覧情報が、端末ＰＣにより、例えば、端末ＰＣにインストールされたＷｅｂブラウザを介して、閲覧可能に設定される。
【００５５】
この結果、カラオケルームＫＲに設置されたディスプレイ５４により広告コンテンツが表示される場合であっても、コマンダ２を利用しているカラオケルームＫＲ以外の場所で、コマンダ２の利用時に出力された広告を、端末ＰＣを用いて確認でき、広告効果を高めることができる。
【００５６】
そして、端末ＰＣは、Ｗｅｂブラウザを介して閲覧している広告識別情報に対応付けられた広告コンテンツＵＲＬの中から、所望の広告コンテンツＵＲＬを決定する。そして、端末ＰＣは、決定された広告コンテンツＵＲＬへ向けて、広告コンテンツを要求する（図５：（４））。具体的には、本実施形態では、広告コンテンツＵＲＬは、センターサーバ４に記憶された広告コンテンツのネットワーク上の位置を示す情報である。つまり、端末ＰＣは、センターサーバ４に記憶された広告コンテンツのダウンロードを、センターサーバ４へ要求することになる（図５：（４））。これにより、端末ＰＣは、カラオケルームＫＲ内で視聴した広告コンテンツを、カラオケルームＫＲ以外の場所で視聴することができる。
【００５７】
また、センターサーバ４は、広告コンテンツのダウンロード要求を受信した場合、ダウンロード要求を受信した広告コンテンツの視聴実績情報を生成する。視聴実績情報は、広告コンテンツがダウンロードまたは視聴されたことを示す情報である。センターサーバ４は、生成した視聴実績情報と、ダウンロードが要求された広告コンテンツの広告識別情報と、ダウンロードを要求した端末ＰＣを使用しているユーザＩＤとを、管理サーバ３へ送信する。なお、図５の（４）で端末ＰＣが広告コンテンツを要求したことに応じて、センターサーバ４は、ダウンロードを要求した端末ＰＣを使用しているユーザＩＤを取得することができる。
【００５８】
そして、管理サーバ３は、センターサーバ４から受信した視聴実績情報と、広告識別情報とを対応付けて、管理サーバ３の記憶部３３の所定の記憶領域に記憶する。このように、広告識別情報と視聴実績とを対応付けて、管理サーバ３の記憶部３３の所定の記憶領域に記憶することで、管理サーバ３は、例えば、広告コンテンツをセンターサーバ４へ投稿した広告主へ、視聴実績情報を送信することができる。具体的には、広告主を識別可能な広告主識別情報と、広告主によりセンターサーバ４へ投稿した広告識別情報とが対応付けられて、管理サーバ３の記憶部３３の所定の記憶領域に記憶される。さらに、広告主識別情報と、広告主識別情報が示す広告主の電子メールアドレスとが対応付けられて、管理サーバ３の記憶部３３の所定の記憶領域に記憶される。電子メールアドレス以外に、広告主へ視聴実績情報を通知可能な連絡先であれば特に限定されない。この結果、広告主へ、実際の広告コンテンツの視聴実績を、広告主の連絡先へ通知することができるため、広告主は、広告効果を把握することができる。
【００５９】
また、管理サーバ３は、図５の（４）より取得したユーザＩＤに対応するユーザ属性情報を、広告閲覧情報記憶領域３３２から決定する。そして、管理サーバ３は、視聴実績情報と共に受信した広告識別情報と、決定されたユーザ属性情報とを対応付けて、記憶部３３の所定の記憶領域に記憶する。これにより、視聴した実績に基づいて、広告コンテンツを実際に視聴したユーザのユーザ属性情報を把握することができる。そして、管理サーバ３は、広告識別情報と、ユーザ属性情報とを対応付けて、広告決定サーバ５へ送信する。
【００６０】
広告決定サーバ５は、受信した各広告識別情報について、受信した広告識別情報と対応付けて送信されたユーザ属性情報を集計する。そして、広告決定サーバ５は、集計されたユーザ属性情報に基づいて、各広告識別情報ごとに、各広告識別情報を代表するユーザ属性を決定する。以下これを、代表ユーザ属性と呼ぶ。これにより、広告決定サーバ５は、リモコン１またはコマンダ２にログインしたユーザのユーザ属性情報と、一致する代表ユーザ属性の広告識別情報を決定することができる。そして、広告決定サーバ５は、決定された広告識別情報に対応する広告コンテンツを、ディスプレイ５４に出力する。この結果、コマンダ２の利用時に出力された広告コンテンツを実際に視聴したユーザのユーザ属性情報に基づいて、ディスプレイ５４に出力する広告コンテンツを決定することができるため、広告効果を高めることができる。
【００６１】
［４．広告決定サーバ５の動作］
以上説明した構成からなる本実施形態の広告決定サーバ５の動作及び作用について、添付図面を参照して説明する。まず、広告決定サーバ５の動作及び作用について、添付図面を参照して説明する。図６は、広告決定サーバ５におけるメイン動作の処理手順を示すフローチャートである。なお、広告決定サーバ５にメイン動作を実行させるプログラムは、記憶部５３の所定の記憶領域に記憶されている。広告決定サーバ５のメイン動作は、例えば、広告決定サーバ５の電源がオンにされたことにより、遂行される。以下に示す処理は、制御部５２により実行される。
【００６２】
まず、ステップＳ１０１では、センターサーバ４から、広告コンテンツが取得される。具体的には、再生順序リストが、広告決定サーバ５により生成される場合、生成された再生順序リストが、再生順序リスト記憶領域５３２に記憶される。そして、生成された再生順序リストが含む広告識別情報に対応する広告コンテンツが、センターサーバ３から取得される。一方、再生順序リストが、管理サーバ３またはセンターサーバ４から送信される場合、広告決定サーバ５により受信された再生順序リストが、再生順序リスト記憶領域５３２に記憶される。そして、受信した再生順序リストが含む広告識別情報に対応する広告コンテンツが、センターサーバ３から取得される。取得された広告コンテンツは、広告コンテンツ記憶領域５３１に記憶される。なお、本実施形態の制御部５２と、ステップＳ１０１とは、本発明の第１取得手段の一例である。また、本実施形態のステップＳ１０１は、本発明の第１取得ステップの一例である。
【００６３】
ステップＳ１０２では、再生順序リストに従って、広告コンテンツが出力される。そして、広告コンテンツが出力された再生日時が、再生順序リストと対応付けられて、再生順序リスト記憶領域５３２に記憶される。
【００６４】
ステップＳ１０３では、広告決定サーバ５が設置されたカラオケルームＫＲに設置されたコマンダ２またはリモコン１にログインがあったか否かが判定される。具体的には、管理サーバ３から、広告決定サーバ５が設置されたカラオケルームＫＲに設置されたコマンダ２またはリモコン１にログインがあったユーザＩＤが、受信される。広告決定サーバ５が設置されたカラオケルームＫＲに設置されたコマンダ２またはリモコン１にログインがあったユーザＩＤが受信された場合、広告決定サーバ５が設置されたカラオケルームＫＲに設置されたコマンダ２またはリモコン１にログインがあったと判定される。一方、広告決定サーバ５が設置されたカラオケルームＫＲに設置されたコマンダ２またはリモコン１にログインがあったユーザＩＤが受信されなかった場合、広告決定サーバ５が設置されたカラオケルームＫＲに設置されたコマンダ２またはリモコン１にログインがあったと判定されない。広告決定サーバ５が設置されたカラオケルームＫＲに設置されたコマンダ２またはリモコン１にログインがあったと判定された場合（ステップＳ１０３：ＹＥＳ）、ステップＳ１０４が実行される。広告決定サーバ５が設置されたカラオケルームＫＲに設置されたコマンダ２またはリモコン１にログインがあったと判定されなかった場合（ステップＳ１０３：ＮＯ）、ステップＳ１０６が実行される。
【００６５】
ステップＳ１０４では、ステップＳ１０３で受信したユーザＩＤのログイン時間が、管理サーバ３から取得される。ステップＳ１０３で受信したユーザＩＤと、取得したログイン情報とは、記憶部５３の所定の記憶領域に記憶される。
【００６６】
ステップＳ１０５では、ステップＳ１０３で受信したユーザＩＤのユーザ属性情報と、一致する代表ユーザ属性の広告識別情報が決定される。代表ユーザ属性は、後述するステップＳ１１１で決定され、記憶部５３の所定の記憶領域に記憶される。そして、決定された広告識別情報に対応する広告コンテンツが、センターサーバ４から取得されてディスプレイ５４に出力される。
【００６７】
ステップＳ１０６では、広告決定サーバ５が設置されたカラオケルームＫＲのコマンダ２またはリモコン１から、ログアウトがあったか否かが判定される。具体的には、管理サーバ３から、広告決定サーバ５が設置されたカラオケルームＫＲに設置されたコマンダ２またはリモコン１からログアウトしたユーザＩＤが、受信される。広告決定サーバ５が設置されたカラオケルームＫＲに設置されたコマンダ２またはリモコン１からログアウトしたユーザＩＤが受信された場合、広告決定サーバ５が設置されたカラオケルームＫＲに設置されたコマンダ２またはリモコン１からログアウトがあったと判定される。一方、広告決定サーバ５が設置されたカラオケルームＫＲに設置されたコマンダ２またはリモコン１にログアウトがあったユーザＩＤが受信されなかった場合、広告決定サーバ５が設置されたカラオケルームＫＲに設置されたコマンダ２またはリモコン１にログアウトがあったと判定されない。広告決定サーバ５が設置されたカラオケルームＫＲに設置されたコマンダ２またはリモコン１からログアウトがあったと判定された場合（ステップＳ１０６：ＹＥＳ）、ステップＳ１０７が実行される。広告決定サーバ５が設置されたカラオケルームＫＲに設置されたコマンダ２またはリモコン１からログアウトがあったと判定されなかった場合（ステップＳ１０６：ＮＯ）、ステップＳ１０９が実行される。
【００６８】
ステップＳ１０７では、ステップＳ１０６で受信したユーザＩＤのログアウト時間が、管理サーバ３から取得される。ステップＳ１０６で受信したユーザＩＤと、取得したログアウト情報とは、記憶部５３の所定の記憶領域に記憶される。なお、本実施形態の制御部５２と、ステップＳ１０４及びステップＳ１０７とは、本発明の第２取得手段の一例である。また、本実施形態のステップＳ１０４及びステップＳ１０７は、本発明の第２取得ステップの一例である。
【００６９】
ステップＳ１０８では、ステップＳ１０６で受信したユーザＩＤのログイン時間と、ログアウト時間との間に、ディスプレイ５４に出力された広告コンテンツの広告識別情報が決定される。決定された広告識別情報が、管理サーバ３へ送信される。なお、本実施形態の制御部５２と、ステップＳ１０８で広告識別情報が決定される処理とは、本発明の第１決定手段の一例である。また、本実施形態のステップＳ１０８で広告識別情報が決定される処理は、本発明の第１決定ステップの一例である。また、本実施形態の制御部５２と、ステップＳ１０８で広告識別情報が送信される処理とは、本発明の送信手段の一例である。また、本実施形態のステップＳ１０８で広告識別情報が送信される処理は、本発明の送信ステップの一例である。また、
【００７０】
ステップＳ１０９では、管理サーバから送信された広告識別情報と、ユーザ属性情報とが受信されたか否かが判定される。管理サーバから送信された広告識別情報と、ユーザ属性情報とが受信されたと判定された場合（ステップＳ１０９：ＹＥＳ）、ステップＳ１１０が実行される。管理サーバから送信された広告識別情報と、ユーザ属性情報とが受信されたと判定されなかった場合（ステップＳ１０９：ＮＯ）、ステップＳ１１２が実行される。
【００７１】
ステップＳ１１０では、ステップＳ１０９で受信された広告識別情報とユーザ属性情報とが、記憶部５３の所定の記憶領域に記憶される。本実施形態の制御部５２と、ステップＳ１１０とは、本発明の第３取得手段の一例である。
【００７２】
ステップＳ１１１では、ステップＳ１１０で記憶した各広告識別情報について、広告識別情報と対応付けて送信されたユーザ属性情報が集計される。そして、集計されたユーザ属性情報に基づいて、各広告識別情報ごとに、各広告識別情報を代表する代表ユーザ属性が決定される。決定された代表ユーザ属性は、広告識別情報と対応付けられて記憶部５３の所定の記憶領域に記憶される。本実施形態の制御部５２とステップＳ１１１とは、本発明の第２決定手段の一例である。
【００７３】
ステップＳ１１２では、広告決定サーバ５の電源がオフにされたか否かが判定される。電源がオフにされたと判定された場合（ステップＳ１１２：ＹＥＳ）、広告決定サーバ５のメイン動作は終了される。電源がオフにされたと判定されなかった場合（ステップＳ１１２：ＮＯ）、ステップＳ１０１が実行される。
【００７４】
［５．管理サーバ３の動作］
以上説明した構成からなる本実施形態の管理サーバ３の動作及び作用について、添付図面を参照して説明する。まず、管理サーバ３の動作及び作用について、添付図面を参照して説明する。図７は、管理サーバ３におけるメイン動作の処理手順を示すフローチャートである。なお、管理サーバ３にメイン動作を実行させるプログラムは、記憶部３３の所定の記憶領域に記憶されている。管理サーバ３のメイン動作は、例えば、管理サーバ３の電源がオンにされたことにより、遂行される。以下に示す処理は、制御部３２により実行される。
【００７５】
ステップＳ２０１では、リモコン１またはコマンダ２から送信されたメッセージが、受信されたか否かが判定される。メッセージが受信されたと判定された場合（ステップＳ２０１：ＹＥＳ）、ステップＳ２０２が実行される。メッセージが受信されたと判定されなかった場合（ステップＳ２０１：ＮＯ）、ステップＳ２１４が実行される。
【００７６】
ステップＳ２０２では、リモコン１またはコマンダ２から送信されたログイン要求が受信されたか否かが判定される。なお、ログイン要求は、ログインを要求したユーザを示すユーザＩＤと、パスワード等の認証情報とを含む。ログイン要求が受信されたと判定された場合（ステップＳ２０２：ＹＥＳ）、ステップＳ２０３が実行される。ログイン要求が受信されたと判定されなかった場合（ステップＳ２０２：ＮＯ）、ステップＳ２０６が実行される。
【００７７】
ステップＳ２０３では、ステップＳ２０２で受信したログイン要求が含むユーザＩＤと、認証情報とが、管理サーバ３の記憶部３３の所定の記憶領域に登録されているユーザＩＤ及び認証情報であるか否かが判定される。本実施形態では、カラオケシステムＳまたはコマンダ２により提供されるサービスにログインする際に、ユーザＩＤ及び認証情報が、記憶部３３の所定の記憶領域に登録される。ステップＳ２０２で受信したユーザＩＤ及び認証情報が、管理サーバ３３の記憶部３３に登録されていると判定された場合（ステップＳ２０３：ＹＥＳ）、ステップＳ２０４が実行される。ステップＳ２０２で受信したユーザＩＤ及び認証情報が、管理サーバ３３の記憶部３３に登録されていると判定されなかった場合（ステップＳ２０３：ＮＯ）、ステップＳ２０５が実行される。
【００７８】
ステップＳ２０４では、ログインが成功したことが、ログインの要求元の装置へ送信される。そして、ログインしたユーザＩＤと、ログイン時間とが対応付けられて、ログイン情報記憶領域３３１に記憶される。
【００７９】
ステップＳ２０５では、ログインが失敗したことが、ログインの要求元の装置へ送信される。
【００８０】
ステップＳ２０６では、リモコン１またはコマンダ２から送信されたログアウト要求が受信されたか否かが判定される。なお、ログアウト要求は、ログアウトを要求したユーザを示すユーザＩＤを含む。ログアウト要求が受信されたと判定された場合（ステップＳ２０６：ＹＥＳ）、ステップＳ２０７が実行される。ログアウト要求が受信されたと判定されなかった場合（ステップＳ２０６：ＮＯ）、ステップＳ２０８が実行される。
【００８１】
ステップＳ２０７では、ログアウトが完了したことが、ログアウトの要求元の装置へ送信される。そして、ログアウトしたユーザＩＤと、ログアウト時間とが対応付けられて、ログイン情報記憶領域３３１に記憶される。本実施形態の制御部３２と、ステップＳ２０４及びステップＳ２０７とは、本発明の記憶手段の一例である。また、ステップＳ２０４及びステップＳ２０７とは、本発明の記憶ステップの一例である。
【００８２】
ステップＳ２０８では、広告決定サーバ５から送信されたログイン時間の取得要求が受信されたか否かが判定される。ログイン時間の取得要求が受信されたと判定された場合（ステップ２０８：ＹＥＳ）、ステップＳ２０９が実行される。ログイン時間の取得要求が受信されたと判定されなかった場合（ステップ２０８：ＮＯ）、ステップＳ２１０が実行される。
【００８３】
ステップＳ２０９では、要求されたログイン時間が、広告決定サーバ５へ送信される。
【００８４】
ステップＳ２１０では、広告決定サーバ５から送信されたログアウト時間の取得要求が受信されたか否かが判定される。ログアウト時間の取得要求が受信されたと判定された場合（ステップ２１０：ＹＥＳ）、ステップＳ２１１が実行される。ログアウト時間の取得要求が受信されたと判定されなかった場合（ステップ２１０：ＮＯ）、ステップＳ２１２が実行される。
【００８５】
ステップＳ２１１では、要求されたログアウト時間が、広告決定サーバ５へ送信される。
【００８６】
ステップＳ２１２では、広告決定サーバ５から、広告閲覧情報が受信されたか否かが判定される。広告閲覧情報が受信されたと判定された場合（ステップＳ２１２：ＹＥＳ）、ステップＳ２１３が実行される。広告閲覧情報が受信されたと判定されなかった場合（ステップＳ２１２：ＮＯ）、ステップＳ２２４が実行される。
【００８７】
ステップＳ２１３では、受信された広告閲覧情報が、広告閲覧情報記憶領域３３２に記憶される。
【００８８】
ステップＳ２１４では、端末ＰＣから送信されたメッセージが受信されたか否かが判定される。端末ＰＣから送信されたメッセージが受信されたと判定された場合（ステップＳ２１４：ＹＥＳ）、ステップＳ２１５が実行される。端末ＰＣから送信されたメッセージが受信されたと判定されなかった場合（ステップＳ２１４：ＮＯ）、ステップＳ２２４が実行される。
【００８９】
ステップＳ２１５では、端末ＰＣから送信されたログイン要求が受信されたか否かが判定される。なお、ログイン要求は、ログインを要求したユーザを示すユーザＩＤと、パスワード等の認証情報を含む。ログイン要求が受信されたと判定された場合（ステップＳ２１５：ＹＥＳ）、ステップＳ２１６が実行される。ログイン要求が受信されたと判定されなかった場合（ステップＳ２１５：ＮＯ）、ステップＳ２１９が実行される。
【００９０】
ステップＳ２１６では、ステップＳ２１５で受信したログイン要求が含むユーザＩＤ及び認証情報が、管理サーバ３の記憶部３３の所定の記憶領域に登録されているか否かが判定される。本実施形態では、カラオケシステムＳまたはコマンダ２により提供されるサービスにログインする際に、ユーザＩＤ及び認証情報が、記憶部３３の所定の記憶領域に登録される。ステップＳ２１５で受信したユーザＩＤ及び認証情報が、管理サーバ３の記憶部３３に登録されていると判定された場合（ステップＳ２１６：ＹＥＳ）、ステップＳ２１７が実行される。ステップＳ２１５で受信したユーザＩＤ及び認証情報が、管理サーバ３の記憶部３３に登録されていると判定されなかった場合（ステップＳ２１６：ＮＯ）、ステップＳ２１８が実行される。
【００９１】
ステップＳ２１７では、ログインが成功したことが、ログインの要求元の端末ＰＣへ送信される。
【００９２】
ステップＳ２１８では、ログインが失敗したことが、ログインの要求元の端末ＰＣへ送信される。
【００９３】
ステップＳ２１９では、広告閲覧情報が要求されたか否かが判定される。なお、広告閲覧情報が要求される際には、要求元の端末ＰＣを用いてログインしているユーザＩＤが、ステップＳ２１９で受信されても良い。広告閲覧情報が要求されたと判定された場合（ステップＳ２１９：ＹＥＳ）、ステップＳ２２０が実行される。広告閲覧情報が要求されたと判定されなかった場合（ステップＳ２１９：ＮＯ）、ステップＳ２２１が実行される。
【００９４】
ステップＳ２２０では、ステップＳ２１９で受信したユーザＩＤに対応する広告閲覧情報が掲載されたＷｅｂページが、要求元の端末ＰＣへ送信される。本実施形態の制御部３２とステップＳ２２０とは、本発明の設定手段の一例である。また、本実施形態のステップＳ２２０は、本発明の設定ステップの一例である。
【００９５】
ステップＳ２２１では、視聴実績情報が、センターサーバ４から受信されたか否かが判定される。具体的には、ステップＳ２２１では、視聴された広告コンテンツの広告識別情報と、視聴実績情報と、視聴実績情報を送信したユーザを示すユーザＩＤとが受信される。視聴実績情報が、センターサーバ４から受信されたと判定された場合（ステップＳ２２１：ＹＥＳ）、ステップＳ２２２が実行される。視聴実績情報が、センターサーバ４から受信されたと判定されなかった場合（ステップＳ２２１：ＮＯ）、ステップＳ２２４が実行される。
【００９６】
ステップＳ２２２では、ステップＳ２２１で受信した視聴実績情報と広告識別情報とユーザＩＤと「が対応付けられて、記憶部３３の所定の記憶領域に記憶される。本実施形態の制御部３２と、ステップＳ２２２とは、本発明の制御手段の一例である。
【００９７】
ステップＳ２２３では、ステップＳ２２１で受信したユーザＩＤに対応するユーザ属性情報が、ログイン情報記憶領域３３１から決定される。そして、ステップＳ２２１で受信した広告識別情報と、決定されたユーザ属性情報とが対応付けられて、記憶部３３の所定の記憶領域に記憶される。これにより、視聴した実績に基づいて、広告コンテンツを実際に視聴したユーザのユーザ属性情報を把握することができる。そして、広告識別情報と、ユーザ属性情報とが対応付けられて、広告決定サーバ５へ送信される。
【００９８】
ステップＳ２２４では、ステップＳ２２２で記憶された視聴実績情報と広告識別情報とが、定期的に広告主に通知される。例えば、管理サーバ３には、広告主を示す広告主識別情報と、広告主が投稿した広告識別情報とが対応付けられて、記憶部３３の所定の記憶領域に記憶される。また、広告主識別情報と、広告主の連絡先として、例えば、電子メールのメールアドレスとが対応付けられて、記憶部３３の所定の記憶領域に記憶される。これにより、定期的なタイミングで、広告主識別情報と対応付けられた広告識別情報が、広告主のメールアドレスを宛先として、送信される。
【００９９】
ステップＳ２２５では、管理サーバ３の電源がオフにされたか否かが判定される。電源がオフにされたと判定された場合（ステップＳ２２５：ＹＥＳ）、管理サーバ３のメイン動作は終了される。電源がオフにされたと判定されなかった場合（ステップＳ２２５：ＮＯ）、ステップＳ２０１が実行される。
【０１００】
［７．センターサーバ４の動作］
以上説明した構成からなる本実施形態のセンターサーバ４の動作及び作用について、添付図面を参照して説明する。まず、センターサーバ４の動作及び作用について、添付図面を参照して説明する。図８は、センターサーバ４におけるメイン動作の処理手順を示すフローチャートである。なお、センターサーバ４にメイン動作を実行させるプログラムは、センターサーバ４の記憶部４３の所定の記憶領域に記憶されている。センターサーバ４のメイン動作は、例えば、センターサーバ４の電源がオンにされたことにより、遂行される。以下に示す処理は、センターサーバ４の制御部４２により実行される。
【０１０１】
ステップＳ３０１では、広告決定サーバ５から、広告コンテンツの要求があったか否かが判定される。具体的には、所定の広告識別情報を含む広告コンテンツの要求が受信されたか否かが判定される。広告決定サーバ５から、広告コンテンツの要求があったと判定された場合（ステップＳ３０１：ＹＥＳ）、ステップＳ３０２が実行される。広告決定サーバ５から、広告コンテンツの要求があったと判定されなかった場合（ステップＳ３０１：ＮＯ）、ステップＳ３０３が実行される。
【０１０２】
ステップＳ３０２では、ステップＳ３０１で要求された広告コンテンツが、要求元の広告決定サーバ５へ送信される。
【０１０３】
ステップＳ３０３では、端末ＰＣから、広告コンテンツの要求があったか否かが判定される。具体的には、所定の広告識別情報を含む広告コンテンツの要求が受信されたか否かが判定される。端末ＰＣから、広告コンテンツの要求があったと判定された場合（ステップＳ３０３：ＹＥＳ）、ステップＳ３０４が実行される。端末ＰＣから、広告コンテンツの要求があったと判定されなかった場合（ステップＳ３０３：ＮＯ）、ステップＳ３０６が実行される。なお、端末ＰＣからの広告コンテンツの要求には、端末ＰＣへログインしているユーザのユーザＩＤが含まれる。
【０１０４】
ステップＳ３０４では、ステップＳ３０３で要求された広告コンテンツが、要求元の端末ＰＣへ送信される。
【０１０５】
ステップＳ３０５では、ステップＳ３０４で送信された広告コンテンツについて、視聴実績情報が生成される。また、要求元の端末ＰＣにログインしているユーザを示すユーザＩＤが、端末ＰＣから取得される。そして、生成された視聴実績情報と、送信された広告コンテンツの広告識別情報と、要求元の端末ＰＣにログインしているユーザを示すユーザＩＤとが対応付けられて、管理サーバ３へ送信される。
【０１０６】
ステップＳ３０６では、センターサーバ４の電源がオフにされたか否かが判定される。電源がオフにされたと判定された場合（ステップＳ３０６：ＹＥＳ）、センターサーバ４のメイン動作は終了される。電源がオフにされたと判定されなかった場合（ステップＳ３０６：ＮＯ）、ステップＳ３０１が実行される。
【０１０７】
なお、本実施形態では、広告決定サーバ５に接続されたディスプレイ５４に、広告コンテンツが表示されていたが、これに限定されるものではない。例えば、広告決定サーバ５のメイン動作が、コマンダ２により実行されても良い。この場合、コマンダ２に接続されたディスプレイ３５に、広告コンテンツが表示される。また、コマンダ２に内蔵されたディスプレイに、広告コンテンツが表示されても良い。また、カラオケの楽曲が順次出力される曲間に、広告コンテンツが表示されても良い。
【０１０８】
なお、本実施形態のリモコン１、または、コマンダ２、または、管理サーバ３、または、センターサーバ４、または、広告決定サーバ５等の日時を決定する計時動作は、リモコン１の制御部１１、または、コマンダ２の制御部２１、または、管理サーバ３の制御部３２、または、センターサーバ４の制御部４２、または、広告決定サーバ５の制御部５２の計時機能により実行される。
【符号の説明】
【０１０９】
２  コマンダ
３  センターサーバ
５  広告決定サーバ
３２  制御部
３３  記憶部
５２  制御部
５３  記憶部
５４  ディスプレイ
ＫＲ  カラオケルーム
ＰＣ  端末
Ｓ  カラオケシステム
【図１】
2013250397.tif 000003
【図２】
2013250397.tif 000004
【図３】
2013250397.tif 000005
【図４】
2013250397.tif 000006
【図５】
2013250397.tif 000007
【図６】
2013250397.tif 000008
【図７】
2013250397.tif 000009
【図８】
2013250397.tif 000010